(57)【要約】【課題】スキー靴に対する雪や水の浸入を確実に防止し、しかも軽量で保温効果の高い、スキー靴用のカバー体を提供する。【解決手段】スキーヤーがスキー靴を履いた状態で装着可能であり、当該カバーは上方開口及び下方開口を有するカバー体と、該下方開口の一方側にその一方端が固着された固定部材とを有し、該固定部材の他方端と前記下方開口の他方側とが、固定部材をスキー靴底部に巻回して着脱自在に結合されることを特徴とするスキー靴用カバー。【選択図】図１
2007117148.tif 000002
【特許請求の範囲】
【請求項１】
スキー靴のための防雪、防水及び保温用カバーであって、スキーヤーがスキー靴を履いた状態で装着可能であり、当該カバーは上方開口及び下方開口を有するカバー体と、該下方開口の一方側にその一方端が固着された固定部材とを有し、該固定部材の他方端と前記下方開口の他方側とが、固定部材をスキー靴底部に巻回して着脱自在に結合されることを特徴とするスキー靴用カバー。
【請求項２】
請求項１記載のスキー靴用カバーであって、上記固定部材と上記下方開口の他方側との着脱自在な結合は、面ファスナーにより行われることを特徴とするスキー靴用カバー。
【請求項３】
請求項１又は２記載のスキー靴用カバーであって、上記カバー体はウエットスーツ用生地で構成されていることを特徴とするスキー靴用カバー。
【請求項４】
請求項１又は２記載のスキー靴用カバーであって、上記カバー体にはスキー靴のバックルのための開口が設けられていることを特徴とするスキー靴用カバー。
【発明の詳細な説明】
【技術分野】
【０００１】
本発明はスキー靴用の着脱自在なカバーに係り、特に、スキー靴内への雪や水の浸入を防ぎ、しかも足部の保温に効果のあるカバー体構造を提供するものである。
【背景技術】
【０００２】
スキー靴の構造自体に種々の改良を加えて、スキー靴の重合部分やバックル部分から靴内への雪や水の浸入を防止するごときスキー靴は、従来種々のものが知られている。例えば下記の特許文献１又は特許文献２に記載のものもその一例であるが、このようなスキー靴は、スキー靴の一部にカバー部材を組み込むことにより雪の進入を防止するものであるから、その構造自体が極めて複雑であり、スキー靴が非常に高価なものとならざるを得ない欠点があった。
【０００３】
また、このような公知のスキー靴構造では、簡単に足部を保温することもできず、構造が複雑な割には保温効果が低いものであった。更に、カバー体自体が靴の一部を構成するために、カバー体の不使用時にも靴と一体化されており、スキー靴のボリュームが大きくなると言う欠点を有していた。
【０００４】
その他にも、例えば特許文献３に記載されているように、通常の運動靴などに例えば雨除けのカバー体を着脱可能とするものも提案されているけれども、このような発明にあっては、靴紐部分にカバー体を輪ゴムにより固定するのみであり、例えばスキー靴のように、外部から雪による大きな圧力が掛かる場合には簡単に外れてしまい、防雪・防水の用をなさないばかりでなく、防寒の効果も発揮できないものである。
【特許文献１】特開平８−２６６３０３号公報
【特許文献２】特開平７−２０４００２号公報
【特許文献３】特開平９−５６４０２号公報
【発明の開示】
【発明が解決しようとする課題】
【０００５】
本発明は、上記の問題点に鑑み、構造が簡単で着脱自在であり、スキー靴に対する雪や水の浸入を確実に防止し、しかも軽量で保温効果の高い、スキー靴用のカバー体を提供するものである。
【課題を解決するための手段】
【０００６】
本発明のスキー靴のための防雪、防水及び保温用カバーは、スキーヤーがスキー靴を履いた状態で装着可能であり、当該カバーは上方開口及び下方開口を有するカバー体と、該下方開口の一方側にその一方端が固着された固定部材とを有し、該固定部材の他方端と前記下方開口の他方側とが、固定部材をスキー靴底部に巻回して着脱自在に結合されることを特徴とするスキー靴用カバーである。
また、上記固定部材と上記下方開口の他方側との着脱自在な結合は、面ファスナーにより行われ、上記カバー体はウエットスーツ用生地で構成され、スキー靴のバックルのための開口が設けられている。
【発明の効果】
【０００７】
本発明は上記の構成を有するために、スキー靴への着脱が極めて簡単であり、カバー体自体が軽量であり持ち運びに便利であり、しかも、保温効果が高いスキー靴用のカバーを得ることができた。
【発明を実施するための最良の形態】
【０００８】
本発明の実施の形態を図１乃至図６により説明する。
図１及び図２は、特に左足側に係るスキー靴本体１に対して、本発明に係るスキー靴用カバー１０を装着した状態の側面図及び背面図を示している。これらの図面から明らかなように、通常一般のスキー靴１はそのシェル本体２又は甲部と靴底部３とを有し、これらのシェル本体と靴底部との前後の結合部分には、それぞれビンディング係止溝４ａ，４ｂが設けられている。
【０００９】
また、シェル本体２を構成する前面部には分断重合部分を有しており、これらの重合部を固定するためにバックル５ａ〜５ｃが固定され、該各バックルはスキー靴を着脱するたびに、開閉固定されるものである。
【００１０】
本発明に係るスキー靴用カバー１０は、スキーヤーが上記のスキー靴１を履き、該スキー靴をスキー板に固定する前に、図示のごとくスキー靴１上に被覆固定するものであって、後述するごとくその着脱、固定は周知の面ファスナー１７により行うものである。
【００１１】
スキー靴用カバー１０は次に図３で示すごとく、そのカバー体上面の甲部１１ａ、爪先部１１ｂ及び踵部１１ｃが一体に形成されたカバー体１１と、これをスキー靴１のシェル本体に固定する固定部材１２とからなっており、詳細は後述するように、該固定部材１２の裏面とカバー体１１の一部表面に設けられた面ファスナー１７，１７によって、ワンタッチで着脱可能とされている。
【００１２】
図３及び図４は、カバー体１１の全体構成を良く現している。
カバー体１１は、基本的にスキー靴のシェル本体の重合部分を覆うカバー体甲部１１ａとスキー靴の爪先部及び踵部に当接されるカバー体爪先部１１ｂ、カバー体踵部１１ｃとから成っており、該カバー体１１の上方部には上方開口１３が、同じく該カバー体１１の下方部には下方開口１４がそれぞれ形成されている。これにより、カバー体の該下方開口１４から上方開口１３へスキー靴の胴部を通して、スキー靴の本体足部を上方から被覆可能とされている。
【００１３】
図４に明らかなように、同図示カバー体１１の右側面、すなわち一対のカバー体のそれぞれの内側に対応する側面には固定部片１２が、一般的に逢着又は溶着等により固定されていて、該固定部片１２の一面に設けられた面ファスナー１７と前記カバー体１１の外側の表面に設けられた面ファスナー１７とによって、該カバー体１１をスキー靴に装着固定することができる。
【００１４】
また、図３及び図４において、符号１５で示す部分はカバー体１１の一部に重ねて固定された当て布部であり、装飾の一部である。更に、符号１６ａ，１６ｂで示す部分は後述するごとく、スキー靴本体のバックル５ｂ，５ｃのための開口である。
【００１５】
図５及び図６は、本発明に係るカバー体１１をスキーヤーがスキー靴を履いた状態でスキー靴１に装着する態様を示している。
先ず図５に示すように、スキーヤーが足にスキー靴を装着した状態で、該スキー靴１をカバー体１１の上方開口１３より挿入して下方開口１４側に通し、カバー体１１の内側面に設けた固定部材１２をスキー靴１の中央底部を巻回させ、その面ファスナー１７とカバー対１１の上部外側面に設けた面ファスナー１７とによって固定する。
【００１６】
この時に、カバー体１１の甲部１１ａに設けられた開口１６ａ，１６ｂに、それぞれスキー靴１のバックル５ｃ，５ｂを挿通係合し、その後に固定部材１２をスキー靴１の底部に卷回するものである。
【００１７】
特に図６に明らかなように、カバー体１１の甲部１１ａがスキー靴本体１の甲部全体を覆うと共に、カバー体１１の爪先部１１ｂはスキー靴１の爪先側ビンディング溝４ａの上部位置を、カバー体１１の踵部１１ｃはスキー靴１の踵側ビンディング溝４ｂの上部位置をそれぞれ被覆固定するものである。
【００１８】
本発明のスキー靴用カバー１０は、そのカバー体１１部分を従来周知のウエットスーツ用の生地により作成しているので、軽量で防水性及び保温性に優れている。
この場合に、カバー体１１を任意位置で複数枚の構成部片に分割し、これらを符号１８で示すように縫製又は溶着することによって、スキー靴１の外形に合致する形状に製作する。また、必要に応じて例えば図示に当て布１５部分等を色違いの生地とし、或いは色違いの当て布で覆うことで、全体としてのアクセントを付けることができる。
【００１９】
このような実施形態によれば、簡単な構造でしかも手軽に着脱できるカバーを用いて、スキー靴内への雪や水の進入を防ぐことができるとともに保温効果も備えるもので、スキーをより一層楽しむことができる。
また、カバー自体の構造が簡単で柔軟性もあり軽量であることから、不使用時の携行にも極めて便利なスキー靴用カバー体を提供できる。
【図面の簡単な説明】
【００２０】
【図１】本発明のカバー体をスキー靴に装着した状態の側面図である。
【図２】本発明のカバー体をスキー靴に装着した状態の背面図である。
【図３】左足側のスキー靴に適用するカバー対の右側面図である。
【図４】左足側のスキー靴に適用するカバー対の左側面図である。
【図５】カバー体の装着状態説明図である。
【図６】カバー体の装着状態説明図である。
【符号の説明】
【００２１】
１    スキー靴
５ａ〜５ｃ    スキー靴のバックル
１０    スキー靴用カバー
１１    カバー体
１２    固定部材
１３    上方開口
１４    下方開口
１６ａ，１６ｂ    バックル用開口
１７    面ファスナー
【図１】
2007117148.tif 000003
【図２】
2007117148.tif 000004
【図３】
2007117148.tif 000005
【図４】
2007117148.tif 000006
【図５】
2007117148.tif 000007
【図６】
2007117148.tif 000008
【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
スキー靴のための防雪、防水及び保温用カバーであって、スキーヤーがスキー靴を履いた状態で装着可能であり、当該カバーは上方開口及び下方開口を有するカバー体と、該下方開口の一方側にその一方端が固着された固定部材とを有し、該固定部材の他方端と前記下方開口の他方側とが、固定部材をスキー靴底部に巻回して着脱自在に結合されるようにしてあり、上記カバー体はカバー体甲部とカバー体爪先部とカバー体踵部とから成り、上記カバー体にはスキー靴のバックルを挿通係合する開口が設けられていることを特徴とするスキー靴用カバー。
【請求項２】
請求項１記載のスキー靴用カバーであって、上記カバー体爪先部はスキー靴の爪先側ビンディング係止溝の上方位置を被覆し、上記カバー体踵部はスキー靴の踵側ビンディング係止溝の上方位置を被覆するようにしたことを特徴とするスキー靴用カバー。
【請求項３】
請求項１又は２記載のスキー靴用カバーであって、上記カバー体甲部とカバー体爪先部とカバー体踵部が一体に形成されたことを特徴とするスキー靴用カバー。
【請求項４】
請求項１乃至３の何れかに記載のスキー靴用カバーであって、上記カバー体の一部に重ねて固定された当て布部を有することを特徴とするスキー靴用カバー。
【手続補正２】
【補正対象書類名】明細書
【補正対象項目名】００１７
【補正方法】変更
【補正の内容】
【００１７】
特に図６に明らかなように、カバー体１１の甲部１１ａがスキー靴本体１の甲部全体を覆うと共に、カバー体１１の爪先部１１ｂはスキー靴１の爪先側ビンディング係止溝４ａの上方位置を、カバー体１１の踵部１１ｃはスキー靴１の踵側ビンディング係止溝４ｂの上方位置をそれぞれ被覆固定するものである。